【事件の表示】
　特許第２７３７５２８号「写真感光材料処理機における搬送装置。」の請求項１ないし４に係る特許に対する特許異議の申立てについて、次のとおり決定する。
【結論】
　訂正を認める。
　特許第２７３７５２８号の請求項１ないし２に係る特許を維持する。
【理由】
１．手続の経緯
　特許第２７３７５２８号の請求項１，２に係る発明は、平成４年４月９日に特許出願され、平成１０年１月１６日にその特許の設定がされ、その後異議申立人富士写真フィルム株式会社により特許異議の申立てがなされ、取消理由通知がなされ、その指定期間内である平成１１年４月２日に訂正請求がされた後、訂正拒絶理由が通知され、この訂正拒絶理由に対して手続補正書が提出されたものである。
２．訂正の適否についての判断
（１）訂正の内容
　平成１１年９月１４日付手続補正書によって、特許法第１２０条の４第３項において準用する同法第１３１条第２項の規定に適合する補正が成された訂正請求書は、特許第２７３７５２８号の明細書を当該請求書に添付した訂正明細書のとおり訂正することを求めるものであるが、その訂正の内容は以下の訂正事項から成る。
　訂正事項ａ；
　特許請求の範囲に関して、
「【請求項１】焼付・現像処理した写真プリントペーパーをカッター部のペーパー排出口から順次排出するようにした写真感光材料処理機において、上記カッタ部のペーパー排出口から排出される各種の写真プリントペーパーを受取る受皿を上下方向に移動可能に無端状搬送部材に所定間隔毎に複数設け、上記受皿が上記カッター部のペーパー排出口側に低くなるように傾斜されたことを特徴とする写真感光材料処理機における搬送装置。
　【請求項２】上記受皿をカッター部のペーパ排出方向に対し、断面略Ｖ字型に形成した請求項１記載の写真感光材料処理機における搬送装置。
　【請求項３】上記受皿を分割し且つ分割部分をヒンジ接合し、前記無端状搬送部材の回動によって上記受皿がヒンジ接合部分で折り曲げ・展開するようにした請求項１又は２記載の写真感光材料処理機における搬送装置。
　【請求項４】上記受皿を有する無端状搬送部材を内設してなる搬送装置外枠を、支持アームを介して移動可能に写真感光材料処理機本体に連結し、上記搬送装置外枠を写真感光材料処理機本体の外方に移動できるようにした請求項１，２，又は３記載の写真感光材料処理機における搬送装置。」を
「【請求項１】焼付・現像処理した写真プリントペーパーをカッター部のペーパー排出口から写真感光材料処理機本体の上部側に順次排出するようにし、かつ、上記カッタ部のペーパー排出口から排出される各種の写真プリントペーパーを受取る受皿を、上下方向に移動可能とした無端状搬送部材に所定間隔毎に複数設け、上記受皿が上記カッター部のペーパー排出口側に低くなるように傾斜させて成る写真感光材料処理機において、
　上記受皿を略中央部で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにしたことを特徴とする写真感光材料処理機における搬送装置。
　【請求項２】上記受皿を有する上下方向に移動可能とした無端状搬送部材を内設してなる搬送装置外枠を、１本の支持アームを介して移動可能に写真感光材料処理機本体に連結し、上記搬送装置外枠を写真感光材料処理機本体の外方に移動できるようにした請求項１記載の写真感光材料処理機における搬送装置。」とする訂正。
　訂正事項ｂ；
　訂正前の明細書の段落番号【０００５】に、
　「【課題を解決するための手段】上記のような目的を有効に達成するために、本発明は次のような構成にしてある。すなわち、請求項１記載の本発明の写真感光材料処理機における搬送装置は、焼付・現像処理した写真プリントペーパーをカッター部のペーパー排出口から順次排出するようにした写真感光材料処理機において、上記カッタ部のペーパー排出口から排出される各種の写真プリントペーパーを受取る受皿を上下方向に移動可能に無端状搬送部材に所定間隔毎に複数設け、上記受皿が上記カッター部のペーパー排出口側に低くなるように傾斜された構成にしてある。」とあるのを、
　「【課題を解決するための手段】上記のような目的を有効に達成するために、本発明は次のような構成にしてある。すなわち、請求項１記載の本発明の写真感光材料処理機における搬送装置は、焼付・現像処理した写真プリントペーパーを、カッター部のペーパー排出口から写真感光材料処理機本体の上部側に順次排出するようにし、かつ、上記カッタ部のペーパー排出口から排出される各種の写真プリントペーパーを受取る受皿を、上下方向に移動可能とした無端状搬送部材に所定間隔毎に複数設け、更に上記受皿が上記カッター部のペーパー排出口側に低くなるように傾斜させて成る写真感光材料処理機において、
　上記受皿を略中央部分で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにした構成にしてある。」とする訂正。
　訂正事項ｃ；
　訂正前の明細書の段落番号【０００６】に、
　「また、請求項２記載の本発明の写真感光材料処理機における搬送装置は、請求項１記載の構成において、上記受皿をカッター部のペーパー排出方向に対し、断面略Ｖ字型に形成した構成にしてある。」とあるのを、
　「また、請求項２記載の本発明の写真感光材料処理機における搬送装置は、請求項１記載の構成において、上記受皿を有する上下方向に移動可能とした無端状搬送部材を内設してなる搬送装置外枠を、１本の支持アームを介して移動可能に写真感光材料処理機本体に連結し、上記搬送装置外枠を写真感光材料処理機本体の外方に移動できるようにした構成にしてある。」とする訂正。
　訂正事項ｄ；
　訂正前の明細書の段落番号【０００７】に、「また、請求項３記載の本発明の写真感光材料処理機における搬送装置は、請求項１又は２記載の構成において、上記受皿を分割し且つ分割部分をヒンジ接合し、前記無端状搬送部材の回動によって上記受皿がヒンジ接合部分で折り曲げ・展開するようにした構成にしてある。」とあり、同明細書の段落番号【０００８】に、「また、請求項４記載の本発明の写真感光材料処理機における搬送装置は、請求項１，２又は３記載の構成において、上記受皿を有する無端状搬送部材を内設してなる搬送装置外枠を、支持アームを介して移動可能に写真感光材料処理機本体に連結し、上記搬送装置外枠を写真感光材料処理機本体の外方に移動できるようにした構成にしてある。」とあるのを削除して、訂正前の明細書の段落番号【０００９】を、【０００８】にする訂正。
　訂正事項ｅ；
　訂正前の明細書の段落番号【０００９】に、
　「【作用】　上記のような構成により、現像・焼付処理された写真プリントペーパー（長尺ペーパー、標準ペーパーなど）が写真感光材料処理機のカッター部のペーパー排出口から排出されると、無端状搬送部材に設けた一受皿に、１オーダー分のネガフィルムの写真プリントペーパーが順次載置されていく。受皿がカッター部のペーパー排出口側に低くなるように傾斜させてあるので、受皿上に乗り移った各写真プリントペーパーはペーパー排出口側に滑ることになり、各写真プリントペーパーの一端を揃えることができる。
　上記のようにして載置が完了すると無端状搬送部材は回動し、多数の写真プリントペーパーを載置した上記一受皿は下方向に移動する。そして次の受皿が上記ペーパー排出口の近傍に移動し次の写真プリントペーパーの排出に備える。このようにしてペーパー排出口から排出される写真プリントペーパーは受皿に受け渡されて順次搬送されていく。」とあるのを、
　「【作用】上記のような構成により、現像・焼付処理された写真プリントペーパー（長尺ペーパー、標準ペーパーなど）が写真感光材料処理機のカッター部のペーパー排出口から写真感光材料処理機本体の上部側に排出されると、無端伏搬送部材に設けた一受皿に、１オーダー分のネガフィルムの写真プリントペーパーが順次載置されていく。受皿がカッター部のペーパー排出口側に低くなるように傾斜させてあるので、受皿上に乗り移った各写真プリントペーパーはペーパー排出口側に滑ることになり、各写真プリントペーパーの一端を揃えることができる。
　【０００９】上記のようにして載置が完了すると無端状搬送部材は回動し、多数の写真プリントペーパーを載置した上記一受皿は下方向に移動する。そして次の受皿が上記ペーパー排出口の近傍に移動し次の写真プリントペーパーの排出に備える。このようにしてペーパー排出口から排出される写真プリントペーパーは受皿に受け渡されて順次搬送されていく。」とする訂正。
　訂正事項ｆ；
　訂正前の明細書の段落番号【００１０】に、
　「また、上記受皿をカッター部のペーパ排出方向に対し、断面略Ｖ字型に形成することによって、カッター部のペーパー排出口からやや湾曲した状態で排出されてくる各写真プリントペーパーを、確実に受皿上に受けて搬出することができる。」とあるのを、
　「また、上記受皿をカッター部のペーパー排出方向に対し、断面略Ｖ字型となるようにすることによって、カッター部のペーパー排出口からやや湾曲した状態で排出されてくる各写真プリントペーパーを、確実に受皿上に受けて搬出することができる。」とする訂正。
　訂正事項ｇ；
　訂正前の明細書の段落番号【００１２】に、
　「また、上記受皿を有する無端状搬送部材を内設してなる搬送装置外枠を、支持アームを介して移動可能に写真感光材料処理機本体に連結してあるので、写真感光材料処理機のメンテナンス時などに、上記搬送装置外枠を写真感光材料処理機本体の外方に移動させることができる。」とあるのを、
　「また、上記受皿を有する上下方向に移動可能とした無端状搬送部材を内設してなる搬送装置外枠を、１本の支持アームを介して移動可能に写真感光材料処理機本体に連結してあるので、写真感光材料処理機のメンテナンス時などに、上記搬送装置外枠を写真感光材料処理機本体の外方に移動させることができる。」とする訂正。
　訂正事項ｈ；
　訂正前の明細書の段落番号【００２９】に、
　「【発明の効果】上記のように本発明の写真感光材料処理機における搬送装置によれば、長尺サイズの写真プリントペーパーや標準サイズの写真プリントペーパーなど、写真感光材料処理機のペーパー排出口から排出されるあらゆるサイズの写真プリントペーパーを、自動的に且つ確実に受皿で受け取って所定位置まで搬送することができる。また、受皿がカッター部のペーパー排出口側に低くなるように設けてあるので、ペーパー排出口から排出され、受皿上に乗り移った各写真プリントペーパーは、受皿上を上記ペーパー排出口側に滑ることになり、各写真プリントペーパーの一端を揃えて整列させることができる。したがって写真プリントペーパーの自動整列処理が可能となり、長尺サイズの写真プリントペーパー、標準サイズの写真プリントペーパーを問わず、すべてのサイズの整列性を向上させることができる。」とあるのを、
　「【発明の効果】上記のように本発明の写真感光材料処理機における搬送装置によれば、長尺サイズの写真プリントペーパーや標準サイズの写真プリントペーパーなど、写真感光材料処理機のペーパー排出口から写真感光材料処理機本体の上部側に順次排出されるあらゆるサイズの写真プリントペーパーを、自動的に且つ確実に受皿で受け取って所定位置まで搬送することができる。また、受皿がカッター部のペーパー排出口側に低くなるように設けてあるので、ペーパー排出口から排出され、受皿上に乗り移った各写真プリントペーパーは、受皿上を上記ペーパー排出口側に滑ることになり、各写真プリントペーパーの一端を揃えて整列させることができる。したがって写真プリントペーパーの自動整列処理が可能となり、長尺サイズの写真プリントペーパー、標準サイズの写真プリントペーパーを問わず、すべてのサイズの写真プリントペーパーの整列性を向上させることができる。」とする訂正。
　訂正事項ｉ；
　明細書の段落番号【００３０】に、
　「また、受皿はカッター部のペーパ排出方向に対し、断面略Ｖ字型に形成してあるので、ペーパー排出口からやや湾曲した状態で排出されてくる各種の写真プリントペーパーを、確実に受皿上で受け取ることができる。したがって、受皿から落下するのを防止できる。」とあるのを、
　「また、受皿は展開時にカッター部のペーパー排出方向に対し断面略Ｖ字型となるようにしてあるので、ペーパー排出口からやや湾曲した状態で排出されてくる各種の写真プリントペーパーを、確実に受皿上で受け取ることができる。したがって、受皿から落下するのを防止できる。」とする訂正。
　訂正事項ｊ；
　訂正前の明細書の段落番号【００３１】に、
　「また、受皿を分割し且つ分割部分をヒンジ接合し、前記無端状搬送部材の回転によって上記受皿がヒンジ接合部分で折り曲げ・展開できるようにしてあるので、搬送装置全体を小型化することができる。」とあるのを、
　「また、受皿を略中央部分で分割し且つ分割部分をヒンジ接合し、前記無端状搬送部材の回動によって上記受皿がヒンジ接合部分で折り曲げ・展開できるようにしてあるので、搬送装置全体を小型化することができる。」とする訂正。
　訂正事項ｋ；
　訂正前の明細書の段落番号【００３２】に、
　「また、受皿を有する無端伏搬送部材を内設してなる搬送装置外枠を、支持アームを介して移動可能に写真感光材料処理機本体に連結してあるので、写真感光材料処理機のメンテナンス時などに、搬送装置外枠を写真感光材料処理機本体の外方に移動させることによって、写真感光材料処理機本体の上部カバーを搬送装置外枠に邪魔されることなく容易に開放することができる。したがって、写真感光材料処理機の内部メンテナンス等を迅速に且つ容易に行うことができる。」とあるのを、
　「また、受皿を有する上下方向に移動可能とした無端状搬送部材を内設してなる搬送装置外枠を、１本の支持アームを介して移動可能に写真感光材料処理機本体に連結してあるので、写真感光材料処理機のメンテナンス時などに、搬送装置外枠を写真感光材料処理機本体の上部から写真感光材料処理機本体の外方に移動させることによって、写真感光材料処理機本体の上部カバーを搬送装置外枠に邪魔されることなく容易に開放することができる。したがって、写真感光材料処理機の内部メンテナンス等を迅速に且つ容易に行うことができる。」とする訂正。
（２）訂正の目的の適否、新規事項の有無
　訂正事項ａ；
　訂正事項ａは実質的には以下の訂正内容から成り特許請求の範囲の減縮に該当する。
　▲１▼．訂正前の請求項２を引用した訂正前の請求項３に対して、「焼付・現像処理した写真プリントペーパーをカッター部のペーパー排出口から順次排出するようにした」における「順次排出する」方向を「写真感光材料処理機本体の上部側に」と限定すると共に、「上記受皿を分割」する位置を「略中央部分で」と限定して、訂正後の請求項１とする訂正。▲２▼．訂正前の請求項３を引用した訂正前の請求項４に対して、上記訂正後の請求項１における限定に加えて、「支持アーム」を「一本の支持アーム」とする限定を加え、訂正後の請求項２とする訂正。▲３▼．訂正前の請求項１，２を削除する訂正。
　訂正事項ｂ〜ｋ；
　訂正された特許請求の範囲の記載と発明の詳細な説明の記載との整合を図るための訂正であって、明りょうでない記載の釈明に該当する。
　そして、上記各訂正事項は、新規事項の追加に該当せず、且つ実質的に特許請求の範囲を拡張するものでも変更するものでもないと認められる。
（３）独立特許要件についての判断
［訂正発明］
　上記訂正請求書により訂正された本件訂正明細書の請求項１，２に係る発明は、以下のとおりのものである。
「【請求項１】焼付・現像処理した写真プリントペーパーを、カッター部のペーパー排出口から写真感光材料処理機本体の上部側に順次排出するようにし、かつ、上記カッタ部のペーパー排出口から排出される各種の写真プリントペーパーを受取る受皿を、上下方向に移動可能とした無端状搬送部材に所定間隔毎に複数設け、更に上記受皿が上記カッター部のペーパー排出口側に低くなるように傾斜させて成る写真感光材料処理機において、上記受皿を略中央部分で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにしたことを特徴とする写真感光材料処理機における搬送装置。
　【請求項２】上記受皿を有する上下方向に移動可能とした無端状搬送部材を内設してなる搬送装置外枠を、１本の支持アームを介して移動可能に写真感光材料処理機本体に連結し、上記搬送装置外枠を写真感光材料処理機本体の外方に移動できるようにした請求項１記載の写真感光材料処理機における搬送装置。」
［引用刊行物］
　これに対して、当審が通知した取消理由で引用した、
　刊行物１：特開平１−１４９０５１号公報
　刊行物２：特開平２−２９５７９４号公報
　刊行物３：
　実願昭６２−９１３４６号（実開昭６３−２００５６２号）のマイクロフィルム
　刊行物４：特開昭６３−２７２７４９号公報
　刊行物５：
　フジミニラボチャンピオン「設置準備編」（平成４年１月１６日特許庁資料館受入）
には、以下の事項が記載されている。
　引用刊行物１；
　第１頁右下欄第９〜１３行の「第３図は自動写真処理システムの概要を示す説明図であり、１はプリンター、２は現像処理部、３は乾燥部、４はカッター部を示し、これら現像処理部２、乾燥部３およびカッター部４によって写真現像処理装置が構成されている。」、
　第１頁右下欄第１８行〜第２頁左上欄第８行の「この焼き付けられた印画紙Ｐは、次いで写真現像処理装置の現像処理部２を構成する現像処理槽２１、漂白定着処理槽２２および三槽構成の安定化処理槽２３をこの順に通過するように搬送されて現像処理がなされる。そしてこのように現像処理された印画紙Ｐは、次いで乾燥部３に挿入されて例えば温風によって乾燥された後、カッター部４で切断されて写真が形成される。そしてカッタ一部４から連続して排出される写真は、ソーター５によって通常は１オーダー（顧客の注文の単位）毎に区分けされる。」、
　第２頁左上欄第１１〜同頁右上欄第１行の「ソーター５は、例えば上下に位置する一対のギアホイール５２，５２間に懸架されたエンドレスチェーン５３に多数の支持板５１が連結支持されてなり、このエンドレスチェーン５３を介して、順次の支持板５１が上端における受取り位置Ａと、下端における放出位置Ｂとを経由するよう駆動され、各支持板５１は、受取り位置Ａにおいて区分けされた一連の写真を受取って写真堆積体として支持し、その後下降して次の支持板５１が受取り位置Ａに到達され、この操作が順次に繰り返される。」、
　及び第１，３図の記載がある。
　引用刊行物２；
　第１頁左下欄第１７〜１９行の「本発明は、複写機、プリンタ、ファクシミリ等において、作業工程済の用紙に対する丁合を行うソータ装置に関する。」、
　第３頁左上欄第７行〜同頁左下欄第３行の「第１図は本発明によるソータ装置に使用されるビン・トレイの一実施例を示す平面図、第２図はビン・トレイの斜視図であって、ビン・トレイ１１０１ａの構成を代表して説明する。…（中略）…。Ｌは傾斜面が形成される位置で、２点鎖線の下側部分が傾斜部Ｌａとなり、位置Ｌより手前に傾斜している。Ｆａは手前側サイドフェンス、Ｆｂは右側サイドフェンスであり、用紙の位置決め用のストッパとなっている。Ｐは用紙である。
　同図において、ビン・トレイ１１０１ａに排出された用紙Ｐは傾斜部Ｌａの存在により、ビン・トレイ１１０１ａの手前側に用紙サイズに関係なく一定にストックされる。更に用紙Ｐが基準位置Ｐ（本体側からの排出時にジョガーによって用紙端は一定に揃えられ、直角方向への搬送になっている）にて止まるように、基準位置Ｐの線上に手前側サイドフェンスＦａが存在する。
　…（中略）…。
　第３図は用紙Ｐの動きを示す説明図であり、従来のビン・トレイであれば、用紙Ｐ１は搬送方向Ｘと、それと直交する方向Ｙに移動するが、本実施例では、用紙Ｐ２は傾斜部Ｌａの存在によって、斜め方向Ｚに移動することになり、基準位置Ｐ方向に移動してストック性を向上させる。また、小サイズの用紙の取り出しが容易になる。」、
　及び第１〜３図の記載がある。
　引用刊行物３；
　第６頁第１８行〜第８頁第１５行の「そして、本考案の実施例におけるトレイ１は、ソーター本体に取り付けられる場合には、該用紙収容部５の先端部が、上方に向けて傾斜するような状態で設けられるものであり、それによって、トレイに収容されるコピーは、立上がり部に後端部が接する状態で整列されて収容される。
　また、上記用紙収容部５は、板状部材により形成され、中央部の平面部６と、その両側に略三角状に上側に向けて折曲げた傾斜部７，８をそれぞれ設け、平面部６は先端に至るほど、狭く形成されている。
　…（中略）…。
　そして、本考案のソーターのトレイにおいては、第２図に示されるように、該トレイ１に後端部が立上がり部２に接するようにして、位置決めが行われて収容される用紙Ｐは、大サイズの場合、または、小サイズの場合のいずれのサイズのものであっても、その側面がレジスト線１０に沿って揃えられた状態で、その後部と一側部とが一定の位置に揃った状態で堆積されるものとなる。
　したがって、上記したようにしてトレイに収容された用紙Ｐに対しては、用紙サイズが異なるものが混在された状態で堆積されていても、その側部に設けた切欠部９の基端部付近に手を入れることによって、取り残すことなく、用紙を全部トレイから取り出し得るものとなる。」、
　及び第１〜４図の記載がある。
　引用刊行物４；
　第１頁右上欄第８〜１６行の「本発明は、例えば複写機等の画像形成装置の排紙部に連結されるソータに関するものである。」、
　第３頁左下欄第３〜１０行の「該ケース両側のローラ１３…群の夫々にエンドレスベルトから成る一対の回転体１４，１４を巻回し、かつ、当該一対の回動体１４，１４に駆動回動装置１５を連動連結してある。
　そして、前記一対の回動体１４，１４にわたって複数個のピン１６を、前記回動体１４の長手方向に所定間隔を隔てて且つ回動体１４の回動軸線に平行な軸線まわりで回動自在に枢着すると共に、…（中略）…。
　尚、前記ピン１６は、第３図に示すように、排紙方向の両側面部を上方に向けるように中間部で屈折され、」、
　及び第１図の記載がある。
　引用刊行物５；
　第４頁の図或いは第５頁の図に、ソータがプリンタプロセッサーの本体上部に２個のアームを介して連結させていること、或いはソータがプリンタプロセッサの本体上部中央の位置から本体上部の外方へ移動することが示されている。
［対比・判断］
　訂正明細書の請求項１，２に係る発明における「上記受皿を略中央部分で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにした」との特定は、「ペーパー排出口からやや湾曲した状態で排出されてくる各種の写真プリントペーパーを、確実に受皿上で受け取ることができる」という作用と「受皿を分割し且つ分割部分をヒンジ接合、前記無端状搬送部材の回動によって上記受皿がヒンジ接合部分で折り曲げ・展開できるようにしてあるので、搬送装置全体の小型化ができる」という作用を併せ持つ受皿の単独形態を特定するもので、上記刊行物１〜５の記載事項を単に組み合わたものとはいえない。よって、訂正明細書の請求項１，２に係る発明が上記引用刊行物１〜５に記載のものから容易に発明をすることができたものとすることはできない。
　したがって、訂正明細書の請求項１，２に係る発明は特許出願の際独立して特許を受けることができない発明とすることができない。
（４）むすび
　以上のとおりであるから、上記訂正請求は、特許法第１２０条の４第２項及び同条第３項で準用する特許法第１２６条第２〜４項の規定に適合するので、当該訂正を認める。
２．特許異議の申立てについての判断
（１）申立の理由の概要
　申立人は、下記の甲第１〜５号証を提出して、訂正前の本件請求項１〜４に係る発明は、甲第１〜５号証に記載された発明であるか或いは甲第１〜５号証に記載された発明に基づいて、その発明の属する分野における通常の知識を有する者が容易に発明をすることができたものであるので、特許法第２９条第１項又は同条第２項の規定により特許を受けることができないものであり、本件特許は、取り消されるべき旨主張している。
（２）本件発明
　平成１１年９月１４日付け手続補正書により補正された平成１１年４月２日付け訂正請求書により訂正された本件特許明細書の請求項１，２に係る発明（以下、「本件請求項１，２に係る発明」という。）は、上記２．において述べたように適法に訂正された本件特許明細書の記載からみて、その特許請求の範囲の請求項１，２に記載されたとおり（上記２．（３）［訂正発明］参照。）のものである。
（３）甲号各証の記載内容
　甲第１号証：特開平１−１４９０５１号公報
　甲第２号証：特開昭６３−２７２７４９号公報
　甲第３号証：
　実願昭６１−５５０６５号（実開昭６２−１６８０５号）のマイクロフィルム　甲第４号証：
　フジミニラボチャンピオン「設置準備編」（平成４年１月１６日特許庁資料館受入）
　甲第５号証：
　フジミニラボチャンピオン「富士フィルムパーツリスト」（平成４年１月１６日特許庁資料館受入）
　上記の甲号各証には以下の記載がある。
　甲第１号証；２．（３）［引用刊行物］の「引用刊行物１」を参照。
　甲第２号証；２．（３）［引用刊行物］の「引用刊行物４」を参照。
　甲第３号証；
　第２頁第５〜１０行の「本考案は、写真印画紙のオーダー別仕分け機に関する。現像処理され、カットされ、シューターより排出されるシート状写真印画紙は、上方より下方に向って循環するチェーンに固着された板状のペーパー受皿にオーダー別に仕分けられながら供給される。」、
　第４頁第４〜１５行の「鉛直方向に配設された１対のスプロケット間に懸架された無端チェーンにはその全周に亘って、所定のピッチをもって突子をもって構成されたアタッチメントが突設され、各アタッチメント毎には平板状のペーパー受皿が、受皿の一端縁に立上り状に突設せしめた連結片をして、前記アタッチメントに面接状に配し、該面接部をピンをもって旋回可能に枢着され、無端チェーンの復帰側部分にてはペーパー受皿はチェーン面に倒伏状に、一方チェーンの搬送側部分にては直立状を呈するよう構成せしめたことを特徴とする。」、
　第８頁第７〜２０行、
「（考案の効果）
　本考案にあっては、ペーパー受皿が非稼働の状態に置かれるチェーンの復帰側部分では、ペーパー受皿は、チェーン面に倒伏状態となり、ペーパー受皿の占め領域を縮小せしめることにより、その縮小領域分、チェーンを収めたケーシング自体を小型化することができ、仕分け機のコンパクト化に大きく貢献する。
　又、ペーパー受皿の倒伏および起立状態は、チェーンの回転走行に伴い、ペーパー受皿の自重をもって、これら変位は実現するため、このための特別な装置は一切不要であり、又仕分け機の小型化は、当然製品のコストダウンにも連なるものとなる。」との記載がある。
　甲第４号証；２．（３）［引用刊行物］の「引用刊行物５」を参照。
　甲第５号証；甲第４号証の内容の補足。
（４）当審の判断
　上記の記載内容から明らかなように、当審が通知した取消理由で引用していない甲第３号証或いは甲第５号証の記載をみても、これらの刊行物から本件請求項１，２に係る発明における「上記受皿を略中央部分で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにした」との特定を導き出すことはできない。
　したがって、上記２．（３）［対比・判断］で示したと同様の見解により、本件請求項１，２に係る発明が、上記甲号各証に記載のものであるとも、上記甲号各証に記載のものから容易に発明をすることができたものともいえない。
　以上のとおりであるから、本件請求項１，２に係る発明は、特許異議申立ての理由及び証拠によっては、特許法第２９条第１項又は同条第２項の規定に該当しているとすることができない。
３．むすび
　したがって、特許異議申立ての理由及び証拠によっては、本件特許を取り消すことはできない。
　また、他に本件特許を取り消すべき理由を発見しない。
　よって、結論のとおり決定する
【異議決定日】
平成１１年１１月４日（１９９９．１１．４）
【訂正の要旨】
訂正事項ａ；
特許請求の範囲に関して、
「【請求項１】焼付・現像処理した写真プリントペーパーをカッター部のペーパー排出口から順次排出するようにした写真感光材料処理機において、上記カッタ部のペーパー排出口から排出される各種の写真プリントペーパーを受取る受皿を上下方向に移動可能に無端状搬送部材に所定間隔毎に複数設け、上記受皿が上記カッター部のペーパー排出口側に低くなるように傾斜されたことを特徴とする写真感光材料処理機における搬送装置。
　【請求項２】上記受皿をカッター部のペーパ排出方向に対し、断面略Ｖ字型に形成した請求項１記載の写真感光材料処理機における搬送装置。
　【請求項３】上記受皿を分割し且つ分割部分をヒンジ接合し、前記無端状搬送部材の回動によって上記受皿がヒンジ接合部分で折り曲げ・展開するようにした請求項１又は２記載の写真感光材料処理機における搬送装置。
　【請求項４】上記受皿を有する無端状搬送部材を内設してなる搬送装置外枠を、支持アームを介して移動可能に写真感光材料処理機本体に連結し、上記搬送装置外枠を写真感光材料処理機本体の外方に移動できるようにした請求項１，２，又は３記載の写真感光材料処理機における搬送装置。」を、特許請求の範囲の減縮を目的として、
「【請求項１】焼付・現像処理した写真プリントペーパーをカッター部のペーパー排出口から写真感光材料処理機本体の上部側に順次排出するようにし、かつ、上記カッタ部のペーパー排出口から排出される各種の写真プリントペーパーを受取る受皿を、上下方向に移動可能とした無端状搬送部材に所定間隔毎に複数設け、上記受皿が上記カッター部のペーパー排出口側に低くなるように傾斜させて成る写真感光材料処理機において、
　上記受皿を略中央部で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにしたことを特徴とする写真感光材料処理機における搬送装置。
　【請求項２】上記受皿を有する上下方向に移動可能とした無端状搬送部材を内設してなる搬送装置外枠を、１本の支持アームを介して移動可能に写真感光材料処理機本体に連結し、上記搬送装置外枠を写真感光材料処理機本体の外方に移動できるようにした請求項１記載の写真感光材料処理機における搬送装置。」とする訂正。
　訂正事項ｂ；
　訂正前の明細書の段落番号【０００５】に、
　「【課題を解決するための手段】上記のような目的を有効に達成するために、本発明は次のような構成にしてある。すなわち、請求項１記載の本発明の写真感光材料処理機における搬送装置は、焼付・現像処理した写真プリントペーパーをカッター部のペーパー排出口から順次排出するようにした写真感光材料処理機において、上記カッタ部のペーパー排出口から排出される各種の写真プリントペーパーを受取る受皿を上下方向に移動可能に無端状搬送部材に所定間隔毎に複数設け、上記受皿が上記カッター部のペーパー排出口側に低くなるように傾斜された構成にしてある。」とあるのを、明りょうでない記載の釈明を目的として、
　「【課題を解決するための手段】上記のような目的を有効に達成するために、本発明は次のような構成にしてある。すなわち、請求項１記載の本発明の写真感光材料処理機における搬送装置は、焼付・現像処理した写真プリントペーパーを、カッター部のペーパー排出口から写真感光材料処理機本体の上部側に順次排出するようにし、かつ、上記カッタ部のペーパー排出口から排出される各種の写真プリントペーパーを受取る受皿を、上下方向に移動可能とした無端状搬送部材に所定間隔毎に複数設け、更に上記受皿が上記カッター部のペーパー排出口側に低くなるように傾斜させて成る写真感光材料処理機において、
　上記受皿を略中央部分で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにした構成にしてある。」とする訂正。
　訂正事項ｃ；
　訂正前の明細書の段落番号【０００６】に、
　「また、請求項２記載の本発明の写真感光材料処理機における搬送装置は、請求項１記載の構成において、上記受皿をカッター部のペーパー排出方向に対し、断面略Ｖ字型に形成した構成にしてある。」とあるのを、明りょうでない記載の釈明を目的として、
　「また、請求項２記載の本発明の写真感光材料処理機における搬送装置は、請求項１記載の構成において、上記受皿を有する上下方向に移動可能とした無端状搬送部材を内設してなる搬送装置外枠を、１本の支持アームを介して移動可能に写真感光材料処理機本体に連結し、上記搬送装置外枠を写真感光材料処理機本体の外方に移動できるようにした構成にしてある。」とする訂正。
　訂正事項ｄ；
　明りょうでない記載の釈明を目的として、訂正前の明細書の段落番号【０００７】に、「また、請求項３記載の本発明の写真感光材料処理機における搬送装置は、請求項１又は２記載の構成において、上記受皿を分割し且つ分割部分をヒンジ接合し、前記無端状搬送部材の回動によって上記受皿がヒンジ接合部分で折り曲げ・展開するようにした構成にしてある。」とあり、同明細書の段落番号【０００８】に、「また、請求項４記載の本発明の写真感光材料処理機における搬送装置は、請求項１，２又は３記載の構成において、上記受皿を有する無端状搬送部材を内設してなる搬送装置外枠を、支持アームを介して移動可能に写真感光材料処理機本体に連結し、上記搬送装置外枠を写真感光材料処理機本体の外方に移動できるようにした構成にしてある。」とあるのを削除して、訂正前の明細書の段落番号【０００９】を、【０００８】にする訂正。
　訂正事項ｅ；
　訂正前の明細書の段落番号【０００９】に、
　「【作用】上記のような構成により、現像・焼付処理された写真プリントペーパー（長尺ペーパー、標準ペーパーなど）が写真感光材料処理機のカッター部のペーパー排出口から排出されると、無端状搬送部材に設けた一受皿に、１オーダー分のネガフィルムの写真プリントペーパーが順次載置されていく。受皿がカッター部のペーパー排出口側に低くなるように傾斜させてあるので、受皿上に乗り移った各写真プリントペーパーはペーパー排出口側に滑ることになり、各写真プリントペーパーの一端を揃えることができる。
　上記のようにして載置が完了すると無端状搬送部材は回動し、多数の写真プリントペーパーを載置した上記一受皿は下方向に移動する。そして次の受皿が上記ペーパー排出口の近傍に移動し次の写真プリントペーパーの排出に備える。このようにしてペーパー排出口から排出される写真プリントペーパーは受皿に受け渡されて順次搬送されていく。」とあるのを、明りょうでない記載の釈明を目的として、
　「【作用】上記のような構成により、現像・焼付処理された写真プリントペーパー（長尺ペーパー、標準ペーパーなど）が写真感光材料処理機のカッター部のペーパー排出口から写真感光材料処理機本体の上部側に排出されると、無端伏搬送部材に設けた一受皿に、１オーダー分のネガフィルムの写真プリントペーパーが順次載置されていく。受皿がカッター部のペーパー排出口側に低くなるように傾斜させてあるので、受皿上に乗り移った各写真プリントペーパーはペーパー排出口側に滑ることになり、各写真プリントペーパーの一端を揃えることができる。
　【０００９】上記のようにして載置が完了すると無端状搬送部材は回動し、多数の写真プリントペーパーを載置した上記一受皿は下方向に移動する。そして次の受皿が上記ペーパー排出口の近傍に移動し次の写真プリントペーパーの排出に備える。このようにしてペーパー排出口から排出される写真プリントペーパーは受皿に受け渡されて順次搬送されていく。」とする訂正。
　訂正事項ｆ；
　訂正前の明細書の段落番号【００１０】に、
　「また、上記受皿をカッター部のペーパ排出方向に対し、断面略Ｖ字型に形成することによって、カッター部のペーパー排出口からやや湾曲した状態で排出されてくる各写真プリントペーパーを、確実に受皿上に受けて搬出することができる。」とあるのを、明りょうでない記載の釈明を目的として、
　「また、上記受皿をカッター部のペーパー排出方向に対し、断面略Ｖ字型となるようにすることによって、カッター部のペーパー排出口からやや湾曲した状態で排出されてくる各写真プリントペーパーを、確実に受皿上に受けて搬出することができる。」とする訂正。
　訂正事項ｇ；
　訂正前の明細書の段落番号【００１２】に、
　「また、上記受皿を有する無端状搬送部材を内設してなる搬送装置外枠を、支持アームを介して移動可能に写真感光材料処理機本体に連結してあるので、写真感光材料処理機のメンテナンス時などに、上記搬送装置外枠を写真感光材料処理機本体の外方に移動させることができる。」とあるのを、明りょうでない記載の釈明を目的として、
　「また、上記受皿を有する上下方向に移動可能とした無端状搬送部材を内設してなる搬送装置外枠を、１本の支持アームを介して移動可能に写真感光材料処理機本体に連結してあるので、写真感光材料処理機のメンテナンス時などに、上記搬送装置外枠を写真感光材料処理機本体の外方に移動させることができる。」とする訂正。
　訂正事項ｈ；
　訂正前の明細書の段落番号【００２９】に、
　「【発明の効果】上記のように本発明の写真感光材料処理機における搬送装置によれば、長尺サイズの写真プリントペーパーや標準サイズの写真プリントペーパーなど、写真感光材料処理機のペーパー排出口から排出されるあらゆるサイズの写真プリントペーパーを、自動的に且つ確実に受皿で受け取って所定位置まで搬送することができる。また、受皿がカッター部のペーパー排出口側に低くなるように設けてあるので、ペーパー排出口から排出され、受皿上に乗り移った各写真プリントペーパーは、受皿上を上記ペーパー排出口側に滑ることになり、各写真プリントペーパーの一端を揃えて整列させることができる。したがって写真プリントペーパーの自動整列処理が可能となり、長尺サイズの写真プリントペーパー、標準サイズの写真プリントペーパーを問わず、すべてのサイズの整列性を向上させることができる。」とあるのを、明りょうでない記載の釈明を目的として、
　「【発明の効果】上記のように本発明の写真感光材料処理機における搬送装置によれば、長尺サイズの写真プリントペーパーや標準サイズの写真プリントペーパーなど、写真感光材料処理機のペーパー排出口から写真感光材料処理機本体の上部側に順次排出されるあらゆるサイズの写真プリントペーパーを、自動的に且つ確実に受皿で受け取って所定位置まで搬送することができる。また、受皿がカッター部のペーパー排出口側に低くなるように設けてあるので、ペーパー排出口から排出され、受皿上に乗り移った各写真プリントペーパーは、受皿上を上記ペーパー排出口側に滑ることになり、各写真プリントペーパーの一端を揃えて整列させることができる。したがって写真プリントペーパーの自動整列処理が可能となり、長尺サイズの写真プリントペーパー、標準サイズの写真プリントペーパーを問わず、すべてのサイズの写真プリントペーパーの整列性を向上させることができる。」とする訂正。
　訂正事項ｉ；
　明細書の段落番号【００３０】に、
　「また、受皿はカッター部のペーパ排出方向に対し、断面略Ｖ字型に形成してあるので、ペーパー排出口からやや湾曲した状態で排出されてくる各種の写真プリントペーパーを、確実に受皿上で受け取ることができる。したがって、受皿から落下するのを防止できる。」とあるのを、明りょうでない記載の釈明を目的として、
　「また、受皿は展開時にカッター部のペーパー排出方向に対し断面略Ｖ字型となるようにしてあるので、ペーパー排出口からやや湾曲した状態で排出されてくる各種の写真プリントペーパーを、確実に受皿上で受け取ることができる。したがって、受皿から落下するのを防止できる。」とする訂正。
　訂正事項ｊ；
　訂正前の明細書の段落番号【００３１】に、
　「また、受皿を分割し且つ分解部分をヒンジ接合し、前記無端状搬送部材の回転によって上記受皿がヒンジ接合部分で折り曲げ・展開できるようにしてあるので、搬送装置全体を小型化することができる。」とあるのを、明りょうでない記載の釈明を目的として、
　「また、受皿を略中央部分で分割し且つ分割部分をヒンジ接合し、前記無端状搬送部材の回動によって上記受皿がヒンジ接合部分で折り曲げ・展開できるようにしてあるので、搬送装置全体を小型化することができる。」とする訂正。
　訂正事項ｋ；
　訂正前の明細書の段落番号【００３２】に、
　「また、受皿を有する無端状搬送部材を内接してなる搬送装置外枠を、支持アームを介して移動可能に写真感光材料処理機本体に連結してあるので、写真感光材料処理機のメンテナンス時などに、搬送装置外枠を写真感光材料処理機本体の外方に移動させることによって、写真感光材料処理機本体の上部カバーを搬送装置外枠に邪魔されることなく容易に開放することができる。したがって、写真感光材料処理機の内部メンテナンス等を迅速に且つ容易に行うことができる。」とあるのを、明りょうでない記載の釈明を目的として、
　「また、受皿を有する上下方向に移動可能とした無端状搬送部材を内接してなる搬送装置外枠を、１本の支持アームを介して移動可能に写真感光材料処理機本体に連結してあるので、写真感光材料処理機のメンテナンス時などに、搬送装置外枠を写真感光材料処理機本体の上部から写真感光材料処理機本体の外方に移動させることによって、写真感光材料処理機本体の上部かバーを搬送装置外枠に邪魔されることなく容易に開放することができる。したがって、写真感光材料処理機の内部メンテナンス等を迅速に且つ容易に行うことができる。」とする訂正。
（５４）【発明の名称】
写真感光材料処理機における搬送装置
（５７）【特許請求の範囲】
　【請求項１】　焼付・現像処理した写真プリントペーパーを、カッター部のペーパー排出口から
写真感光材料処理機本体の上部側に順次排出するようにし、かつ、上記カッタ部のペーパー排出口から排出される各種の写真プリントペーパーを受取る受皿を、上下方向に移動可能とした無端状搬送部材に所定間隔毎に複数設け、更に上記受皿が上記カッター部のペーパー排出口側に低くなるように傾斜させて成る
　上記受皿を略中央部分で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにし
　【請求項２】　上記受皿を
有する上下方向に移動可能とした無端状搬送部材を内設してなる搬送装置外枠を、１本の支持アームを介して移動可能に写真感光材料処理機本体に連結し、上記搬送装置外枠を写真感光材料処理機本体の外方に移動できるようにした請求項１
【発明の詳細な説明】
　【０００１】
　【産業上の利用分野】
　本発明は写真感光材料処理機において、カッター部のペーパー排出口から順次排出される写真プリントペーパーを受け取って搬送する搬送装置に関する。
　【０００２】
　【従来の技術】
　最近、写真感光材料処理機によって、例えばＥサイズ（８２．５×１２０ｍｍ）、若しくはＬサイズ（８９×１２７ｍｍ）と呼ばれる標準サイズのプリントと共に、パノラマサイズ（例えば８９×２５４ｍｍ）のプリントも一般的に行なわれる様になってきている。そして、標準サイズやパノラマサイズなど、あらゆるサイズの写真プリントペーパーでも、写真感光材料処理機の排出口から排出された時に、自動的に搬送され整列される装置が望まれている。
　【０００３】
　【発明が解決しようとする課題】
　しかしながら、従来の写真感光材料処理機においては、この処理機の排出口から排出される写真プリントペーパーは、スベリ台式、ベルト式、落下式などの搬出手段を介して受皿に送られるようにしてあったため、静電気、空気の対流などが搬送される写真プリントペーパーに影響を及ぼし、また、排出された写真プリントペーパーの湾曲した状態と相まって、写真プリントペーパーの整列性が不安定であった。そのため、特に長尺サイズ（パノラマサイズ）の写真プリントペーパーは、排出されてきた時に人手によって専用ストッカーを取り付けて集積させているのが現状であり、甚だ手間のかかる作業であった。
　【０００４】
　本発明は上記のような実情に鑑みて開発されたものであり、その目的とする処は、写真感光材料処理機におけるカッター部のペーパー排出口から順次排出される各種の大きさ（標準サイズ、パノラマサイズ等）の写真プリントペーパーを、確実に受け取って、規則正しく整列させて搬送でき、且つ写真感光材料処理機のメンテナンスもスムーズに行うことができるようにした写真感光材料処理機における搬送装置を提供することにある。
　【０００５】
　【課題を解決するための手段】
　上記のような目的を有効に達成するために、本発明は次のような構成にしてある。すなわち、請求項１記載の本発明の写真感光材料処理機における搬送装置は、焼付・現像処理した写真プリントペーパーを、カッター部のペーパー排出口から
写真感光材料処理機本体の上部側に順次排出するようにし、かつ、上記カッタ部のペーパー排出口から排出される各種の写真プリントペーパーを受取る受皿を、上下方向に移動可能とした無端状搬送部材に所定間隔毎に複数設け、更に上記受皿が上記カッター部のペーパー排出口側に低くなるように傾斜させて成る
　
上記受皿を略中央部分で分割し且つ分割部分をヒンジ接合し、前記無端状搬送部材の回動によって上記受皿がヒンジ接合部分で折り曲げ・展開するようにし、更に展開時に、上記受皿をカッター部のペーパー排出方向に対し断面略Ｖ字型となるようにし
　【０００６】
　また、請求項２記載の本発明の写真感光材料処理機における搬送装置は、請求項１記載の構成において、
上記受皿を有する上下方向に移動可能とした無端状搬送部材を内設してなる搬送装置外枠を、１本の支持アームを介して移動可能に写真感光材料処理機本体に連結し、上記搬送装置外枠を写真感光材料処理機本体の外方に移動できるようにした構成にし
　
【０００７】
　
【０００８】
　【作用】
　上記のような構成により、現像・焼付処理された写真プリントペーパー（長尺ペーパー、標準ペーパーなど）が写真感光材料処理機のカッター部のペーパー排出口から写真感光材料処理機本体の上部側に排出されると、無端状搬送部材に設けた一受皿に、１オーダー分のネガフィルムの写真プリントペーパーが順次載置されていく。受皿がカッター部のペーパー排出口側に低くなるように傾斜させてあるので、受皿上に乗り移った各写真プリントペーパーはペーパー排出口側に滑ることになり、各写真プリントペーパーの一端を揃えることができる。
　
【０００９】
　上記のようにして載置が完了すると無端状搬送部材は回動し、多数の写真プリントペーパーを載置した上記一受皿は下方向に移動する。そして次の受皿が上記ペーパー排出口の近傍に移動し次の写真プリントペーパーの排出に備える。このようにしてペーパー排出口から排出される写真プリントペーパーは受皿に受け渡されて順次搬送されていく。
　【００１０】
　また、上記受皿をカッター部のペーパー排出方向に対し、断面略Ｖ字型となるようにすることによって、カッター部のペーパー排出口からやや湾曲した状態で排出されてくる各写真プリントペーパーを、確実に受皿上に受けて搬出することができる。
　【００１１】
　また、上記受皿を分割し無端状搬送部材が回動ずることによって、分割した各受皿がヒンジ接合部分で折り曲げ・展開するため、搬送装置を小型化でき且つ設置スペースをより小さくすることができる。
　【００１２】
　また、上記受皿を有する上下方向に移動可能とした無端状搬送部材を内設してなる搬送装置外枠を、１本の支持アームを介して移動可能に写真感光材料処理機本体に連結してあるので、写真感光材料処理機のメンテナンス時などに、上記搬送装置外枠を写真感光材料処理機本体の外方に移動させることができる。
　【００１３】
　【実施例】
　以下、本発明に係る実施例を図１〜図１７に基づいて説明する。
　図１〜図２は、本発明に係る一実施例の搬送装置１を設けた写真感光材料処理機２の斜視図であって、この搬送装置１は写真感光材料処理機本体３の上部に設けたカッター部４の近傍に配設されている。この写真感光材料処理機２で焼付・現像処理された各種の写真プリントペーパー（標準サイズ「例えば８２．５×１２０ｍｍや８９×１２７ｍｍ」やパノラマサイズ「例えば８９×２５４ｍｍ」など）は、図３〜図４に示す駆動ローラ５やフリーローラ６などからなるカッター部４（図１参照）から排出される。
　【００１４】
　この排出されてくる写真プリントペーパーは、本発明に係る搬送装置１に設けた受皿７で直接受け取れるようにしてある。
　すなわち、この搬送装置１は、図５〜図７に示すように、片側が縦方向に開放されてなる搬送装置外枠８の上下近傍位置に、夫々の回動軸９，１０を軸受１１（図７参照）によって回動自在に枢支されている。この各回動軸９，１０には、所定間隔を以て２組のスプロケット１２（図６参照）が嵌着してある。各組のスプロケット１２には、エンドレスチェーン１３（無端状搬送部材）が張設してある。また、下側の回動軸１０には歯車１４が嵌着され、この歯車１４と歯合する歯車１５が減速機１６の伝動軸１７に嵌着してある。この減速機１６はモータ１８と連結され搬送装置外枠８に内設してある。上記した減速機１６やモータ１８等によって駆動装置は構成されている。１９は検出板である。
　【００１５】
　上記した両エンドレスチェーン１３（図５参照）には、写真プリントペーパーを受け取る受皿７が所定間隔毎に横設してある。この受皿７は、略中央部分で折り畳んだり、展開したりできるように受皿部７ａと受皿部７ｂとをヒンジ接合してある。
　【００１６】
　すなわち、受皿７は、図３，図４，図８〜図９に示すように、横断面Ｌ状の受皿部７ａと、平板状の受皿部７ｂとによって構成され、受皿部７ａと受皿部７ｂとは両端７ｃをヒンジ接合してある。
　【００１７】
　更に受皿部７ｂ（図４参照）が展開した時、この受皿部７ｂの上面が受皿部７ａの上面側に傾斜して図示のような断面略Ｖ字型に固定されるように、受皿部７ｂの裏面に係止板部２０を固着してある。この係止板部２０は、受皿部７ｂの展開時に受皿部７ａの裏面に当接し、受皿部７ｂの上面が受皿部７ａの上面側に傾斜するように保持する。
　【００１８】
　エンドレスチェーン１３の回動によって、受皿７が搬送装置外枠８の開放側を通過中、受皿部７ｂは展開して受皿部７ａ側に傾斜した状態となって移動する。　【００１９】
　この状態の受皿７上に、湾曲した状態でカッター部４のペーパ排出口から排出されてくる写真プリントペーパーが乗り移ることによって、写真プリントペーパーを確実に受け取ることができ、落下の懸念もない。
　【００２０】
　また、受皿部７ｂが搬送装置外枠８の閉鎖壁８ａ側を通過中、ヒンジ接合部分から折れ曲がって垂れ下がった状態となる。したがって、搬送装置外枠８も小さくでき、搬送装置全体をコンパクトにすることができる。
　【００２１】
　また、図１０〜図１３に示すように受皿７は、カッター部４のペーパー排出口側に低くなるように傾斜させて、両エンドレスチェーン１３に横設してある。図１２のように受皿７が水平な状態に設けられていれば、カッター部４のペーパー排出口から排出された写真プリントペーパーＡは、矢視方向に滑って受皿７から落下してしまう懸念がある。
　【００２２】
　しかし、図１１，図１３に示すように受皿７がカッター部４のペーパー排出口側に低く傾斜していることによって、カッター部４のペーパー排出口から排出され受皿７上に乗り移った写真プリントペーパーＡは、受皿７上でカッター部４側に滑る。そのため、順次カッター部４から排出されてくる写真プリントペーパーＡの一端がカッター部４側に当接して整列される。したがって、複数の写真プリントペーパーＡは規則正しく受皿７上に載置することができる。また、上記のように受皿７はカッター部４側に傾斜しているので、受皿７から落下することがない。
　【００２３】
　また、図１４〜図１７に示すように搬送装置１は、支持アーム２１を介して写真感光材料処理機本体３の外方に水平移動させることができるようにしてある（図１６，図１７参照）。
　【００２４】
　すなわち、支持アーム２１の一端部は、多数の受皿７を設けたエンドレスチェーン１３や駆動装置を内設した搬送装置外枠８の下部に枢着し、他端は写真感光材料処理機本体３の上部に枢着してある。そして必要に応じてこの搬送装置外枠８を手で外方に押すことによって、搬送装置１全体が水平移動し、写真感光材料処理機本体３の外方に移動させることができるようにしてある（図１７参照）。このことによって、写真感光材料処理機本体３の上部カバー２２（図２２参照）の開閉が容易となり、写真感光材料処理機２の保守点検を容易に行うことができる。
　【００２５】
　上述のような構成からなる本発明の写真感光材料処理機における搬送装置１にあっては、現像・焼付処理された写真プリントペーパーＡ（長尺ペーパーや標準ペーパーなどのあらゆるサイズのペーパー）が写真感光材料処理機２のカッター部４のペーパー排出口から排出されると、このペーパー排出口の近傍で待機していた受皿７に、１本分のネガフィルムの写真プリントペーパー（パノラマサイズや標準サイズなどのあらゆるサイズのペーパーが混在したペーパー）が順次落下して載置されていく。
　【００２６】
　上記のようにして写真フィルム１本分のネガフィルムの写真プリントペーパーが、一枚の受皿７に載置されると、電気制御によってエンドレスチェーン１３は回動し、写真プリントペーパーを載置した受皿７は下方へ移動する。この移動にともなって次の受皿７が上記ペーパー排出口の近傍に移動し、次の写真プリントペーパーの排出に備える。
　【００２７】
　このようにペーパー排出口から排出される写真プリントペーパーは、直接受皿７に受け渡され順次下方向に搬送される。写真プリントペーパーを載置した受皿７がエンドレスチェーン１３の下端位置にきた時、この受皿７の先端側の受皿部７ｂ（図１参照）は下方に傾斜し、受皿７上の写真プリントペーパーは上部カバー２２側に排出される。
　【００２８】
　尚、上記の実施例では、カッター部４のペーパー排出口は上部カバー２２側に設けられているが、上部カバー２２の反対側に設け、この反対側に設けたペーパー排出口から排出される写真プリントペーパーを受皿で受け取って搬送できるように、搬送装置１の配置を設計変更するも自由である。
　【００２９】
　【発明の効果】
　上記のように本発明の写真感光材料処理機における搬送装置によれば、長尺サイズの写真プリントペーパ，や標準サイズの写真プリントペーパーなど、写真感光材料処理機のペーパー排出口から写真感光材料処理機本体の上部側に順イズの写真プリントペーパーを、自動的に且つ確実に受皿で受け取って所定位置まで搬送することができる。また、受皿がカッター部のペーパー排出口側に低くなるように設けてあるので、ペーパー排出口から排出され、受皿上に乗り移った各写真プリントペーパーは、受皿上を上記ペーパー排出口側に滑ることになり、各写真プリントペーパーの一端を揃えて整列させることができる。したがって写真プリントペーパーの自動整列処理が可能となり、長尺サイズの写真プリントペーパー、標準サイズの写真プリントペーパーを問わず、すべてのサイズの写真プリントペーパーの整列性を向上させることができる。
　【００３０】
　また、受皿は展開時にカッター部のペーパー排出方向に対し断面略Ｖ字型となるようにしてあるので、ペーパー排出口からやや湾曲した状態で排出されてくる各種の写真プリントペーパーを、確実に受皿上で受け取ることができる。したがって、受皿から落下するのを防止できる。
　【００３１】
　また、受皿を略中央部分で分割し且つ分割部分をヒンジ接合し、前記無端状搬送部材の回動によって上記受皿がヒンジ接合部分で折り曲げ・展開できるようにしてあるので、搬送装置全体を小型化することができる。
　【００３２】
　また、受皿を有する上下方向に移動可能とした無端状搬送部材を内設してなる搬送装置外枠を、１本の支持アームを介して移動可能に写真感光材料処理機本体に連結してあるので、写真感光材料処理機のメンテナンス時などに、搬送装置外枠を写真感光材料処理機本体の上部から写真感光材料処理機本体の外方に移動させることによって、写真感光材料処理機本体の上部カバーを搬送装置外枠に邪魔されることなく容易に開放することができる。したがって、写真感光材料処理機の内部メンテナンス等を迅速に且つ容易に行うことができる。
【図面の簡単な説明】
　【図１】
本発明に係る一実施例の写真感光材料処理機の全体斜視図、
　【図２】
本発明に係る一実施例の写真感光材料処理機における搬送装置の設置部分の斜視図、
　【図３】
本発明に係る一実施例の受皿とカッター部とを示す斜視図、
　【図４】
図３の矢印Ｘ方向から正面図、
　【図５】
本発明に係る実施例の搬送装置の要部側面図、
　【図６】
本発明に係る一実施例の搬送装置の簡略説明図、
　【図７】
本発明に係る一実施例の搬送装置の駆動連結部分の一部断面説明図、
　【図８】
本発明に係る一実施例の受皿の平面図、
　【図９】
図８の正面図、
　【図１０】
受皿とカッター部との関係を示す説明図、
　【図１１】
傾斜した受皿とカッター部との関係を示す説明図、
　【図１２】
水平な受皿とカッター部との関係を示す説明図、
　【図１３】
傾斜した受皿とカッター部との関係を示す説明図、
　【図１４】
写真感光材料処理機本体と搬送装置と支持アームとの連結関係を示す平面説明図、
　【図１５】
写真感光材料処理機本体と搬送装置と支持アームとの連結関係を示す正面説明図、
　【図１６】
搬送装置が写真感光材料処理機本体上にある状態を示す概略説明図、
　【図１７】
搬送装置が写真感光材料処理機本体の外方に水平移動させた時の状態を示す概略説明図、
　【符号の説明】
　１・・・搬送装置、
　２・・・写真感光材料処理機、
　３・・・写真感光材料処理機本体、
　４・・・カッター部、
　７・・・受皿、
　８・・・搬送装置外枠、
　１３・・無端状搬送部材、
　２１・・支持アーム、
　Ａ・・・写真プリントペーパー、